(57)【要約】【課題】本発明の課題は、一つのコームを握り易い形状にするとともに、毛髪を梳かすための櫛歯と、毛髪に逆毛を立てるための櫛歯と、毛髪に分け目を入れるための櫛歯とをひとまとめにして、すべての課題を解決できる多機能コームを提供することである。【解決手段】手のひらの中に安定的に納まる大きさ並びに形状のグリップ部を備え、このグリップ部の先にコーム基部を延伸させ、該コーム基部の片縁にストレート歯と先端折り返し歯を混在させた毛髪逆立てコームを取り付け、コーム基部における毛髪逆立てコームの対称位置にストレート歯からなる毛髪梳かしコームを取り付け、コーム基部におけるグリップ部と対称位置となる先端位置に毛髪分け目形成コームを取り付けたことを特徴とする。【選択図】図１
2010233829.tif 000002
【特許請求の範囲】
【請求項１】
手のひらの中に安定的に納まる大きさ並びに形状のグリップ部を備え、このグリップ部の先にコーム基部を延伸させ、該コーム基部の片縁にストレート歯と先端折り返し歯を混在させた毛髪逆立てコームを取り付け、コーム基部における毛髪逆立てコームの対称位置にストレート歯からなる毛髪梳かしコームを取り付け、コーム基部におけるグリップ部と対称位置となる先端位置に毛髪分け目形成コームを取り付けたことを特徴とする多機能コーム。
【請求項２】
毛髪逆立てコームの先端折り返し歯の折り返し方向が、グリップ部側に向かうようになっていることを特徴とする請求項１記載の多機能コーム。
【請求項３】
コーム基部が湾曲状に形成され、かつ先細状に形成されていることを特徴とする請求項１又は２記載の多機能コーム。
【請求項４】
グリップ部にロゴ標示部が形成されていることを特徴とする請求項１乃至３のいずれかに記載の多機能コーム。
【発明の詳細な説明】
【技術分野】
【０００１】
本発明は多機能コームに係り、さらに詳しくは、各種形態の櫛歯を備え、把手となるグリップ部は使用者の手のひらの中に納まる大きさの形態とした使い勝手に優れた多機能コームに関する。
【背景技術】
【０００２】
従来より、毛髪を梳かすコームとして、各種のコームが提案されている。
そのコームの基本的なものは、櫛歯を整然と等間隔で並べて並列させたものであるが、そのほかに毛髪に逆毛を立てて、毛髪のボリュームアップを図ったり、毛髪をランダムな方向に向かわせる目的で、櫛歯の途中や先端に毛髪を上方に掬い上げたりするための引っ掛け用枝部を設けたりするものが知られている。
その代表的なものとしては、下記のような公報が存在する。
【特許文献１】特開平１０−２７６８２８号公報
【特許文献２】実用新案登録第３１３２０２２号公報
【発明の開示】
【発明が解決しようとする課題】
【０００３】
毛髪を梳かすコームにあっては、通常のストレート櫛歯で髪を梳かす作用と、前記した毛髪に逆毛を立てる作用と、毛髪に分け目を入れる作用とを同時に兼ね備えるものが存在しなかったため、それぞれの作用ごとに異なるコームを準備しなければならないという課題があった。
【０００４】
そのため本発明は、一つのコームを握り易い形状にするとともに、毛髪を梳かすための櫛歯と、毛髪に逆毛を立てるための櫛歯と、毛髪に分け目を入れるための櫛歯とをひとまとめにして、上記のすべての課題を解決できる多機能コームを提供せんとするものである。
【課題を解決するための手段】
【０００５】
本発明に係る多機能コームの請求項１のものは、手のひらの中に安定的に納まる大きさ並びに形状のグリップ部を備え、このグリップ部の先にコーム基部を延伸させ、該コーム基部の片縁にストレート歯と先端折り返し歯を混在させた毛髪逆立てコームを取り付け、コーム基部における毛髪逆立てコームの対称位置にストレート歯からなる毛髪梳かしコームを取り付け、コーム基部におけるグリップ部と対称位置となる先端位置に毛髪分け目形成コームを取り付けたことを特徴とする多機能コームである。
【０００６】
また請求項２は、毛髪逆立てコームの先端折り返し歯の折り返し方向が、グリップ部側に向かうようになっていることを特徴とする請求項１記載の多機能コームである。
【０００７】
さらに請求項３は、コーム基部が湾曲状に形成され、かつ先細状に形成されていることを特徴とする請求項１又は２記載の多機能コームである。
【０００８】
ついで請求項４は、グリップ部にロゴ標示部が形成されていることを特徴とする請求項１乃至３のいずれかに記載の多機能コームである。
【発明の効果】
【０００９】
本発明に係る多機能コームは、グリップ部が使用者の手のひらの中に納まる大きさの形態であるので、握り易くかつ扱い易い特徴があり、毛髪を梳かすための櫛歯と、毛髪に逆毛を立てるための櫛歯と、毛髪に分け目を入れるための櫛歯とをひとまとめにしてあるので、一本のコームを用意するだけで、毛髪を梳かすことと、毛髪に逆毛を立てることと、毛髪に分け目を入れることが簡単に行えるという効果を発揮する。
【００１０】
また請求項２の多機能コームは、毛髪逆立てコームの先端折り返し歯の折り返し方向が、グリップ部側に向かうようになっているので、使用者は利き手側に引っ張るように多機能コームを操作することで、効率良く毛髪に逆毛を立てられるという効果を発揮する。
【００１１】
また請求項３の多機能コームは、コーム基部が湾曲状に形成され、かつ先細状に形成されているので、毛髪を梳かすことと、毛髪に逆毛を立てることと、毛髪に分け目を入れることの使い分けが容易となり、かつ異なる形態の櫛歯の位置の確認が容易に行えるという効果を発揮する。
【００１２】
また請求項４の多機能コームは、グリップ部にロゴ標示部が形成されているので、ロゴ標示部に表されるロゴや各種のマーク、デザインの存在により、使用方法がわかり易くなったり、デザイン性が高まることで商品価値が向上するなどの効果を発揮する。
【発明を実施するための最良の形態】
【００１３】
以下、図面を参照して本発明の多機能コームの実施の形態を説明するが、本発明はこれらの実施の形態に制限されるものではない。
図１は本発明の多機能コームの正面図であり、図２は前図におけるＡ−Ａ線断面図であり、図３は毛髪分け目形成コームの使用状態を示す正面図である。
【００１４】
図１乃至図３に示す本発明に係る多機能コーム１は、グリップ部２とコーム基部３とで構成され、グリップ部２は柄部に相当するもので、手のひらの中に安定的に納まる大きさ並びに形状のものである。具体的には周縁が角張らず滑らかな曲線となるような形態のものが好ましく、側面形状は中央付近がややふくらみを持つ板状を呈するように形成されるが、その形態はコームとしての機能を果たせるものであれば、特に限定されるものではない。
さらに他の形態として、グリップ部２の側面形状における中央付近をへこむよう（薄肉）に形成し、その側面形状における周縁付近を厚みのある縁取り部とするように形成することもでき、こうすることでグリップ部２の周縁付近が手の中に引っかかり易くなり、安定したグリップ効果を得ることが可能となる。
また本発明の多機能コーム１の素材としては、ポリプロピレン樹脂などが好適であるが、その他コーム素材として利用可能な素材であれば、樹脂素材はもちろんのこと、木製や金属製の素材を用いることも可能である。
【００１５】
本発明のグリップ部２から延伸する状態で組み合わせられるコーム基部３には、毛髪逆立てコーム４と、毛髪梳かしコーム５と、毛髪分け目形成コーム６とが取り付けられている。
【００１６】
まず毛髪逆立てコーム４は、コーム基部３の片縁に取り付けられるもので、具体的にはストレート歯１０と先端折り返し歯１１とを混在させて形成されている。
ここでストレート歯１０とは、先端や途中に折り返し部のない真っ直ぐな櫛歯のことであり、先端折り返し歯１１とは、先端に折り返し部を有する櫛歯のことである。
【００１７】
この折り返し部は、矢尻型であったり、一方向のみに折り返えされる型（図１に示した状態）であったりするもので、その目的は毛髪を引っ掛けて掬い上げることができるためのものである。
ストレート歯１０と先端折り返し歯１１との並べ方は自由に選択でき、図示したように先端折り返し歯１１を二本並べ、ついでストレート歯１０を一本並べ、その繰り返しを行うものであっても、あるいは先端折り返し歯１１とストレート歯１０とを交互に並べるものであって、あるいはそれに準ずるような他の並べ方であってもかまわない。
【００１８】
ここで先端折り返し歯１１の具体的寸法を説明すると、コーム基部３と接する櫛歯根元の幅寸法は４．２〜４．８ｍｍ、折り返し先端の幅寸法は１．２〜１．６ｍｍ程度とすることが好ましい。
さらに折り返し部分の長さ寸法Ｌ１は６．８〜７．２ｍｍ程度が好ましく、このような寸法で形成することで、毛髪を掬い上げて逆毛を立てる操作を効果的に行える多機能コームが完成する。
【００１９】
また毛髪逆立てコーム４を取り付けるコーム基部３の片縁の形態は、直線状を呈するものであっても、あるいは図１に示すように凹型アーチ状を呈する形態であってもかまわない。コーム基部３の片縁を、凹型アーチ状を呈する形態とした場合には、毛髪の生え際の頭のカーブに沿う状態で毛髪逆立てコームを動かせるようになり、毛髪への当たりが均一的になる利点が得られる。
【００２０】
ついで毛髪梳かしコーム５は、一般的な毛髪の梳かし操作をするコーム部分であり、その構成は一般的なストレート歯を並べた形態となっている。この毛髪梳かしコーム５は、コーム基部３における毛髪逆立てコーム４の対称位置に取り付けられるものである。
毛髪逆立てコーム４と毛髪梳かしコーム５は、コーム基部３を挟んで対称位置に離れるように配設されているため両コームの位置の区別が明確なものとなり、異なるコームへの使用変更時には、誤って別の目的のコームを使用してしまうという事態を確実に防止できることとなる。
【００２１】
ここで毛髪梳かしコーム５の具体的形態を説明すると、その高さ寸法は１．８〜２．２ｍｍ程度の、かなり高さ寸法の短い先端が丸みを有する側面視形状が三角形状を呈する形状にすることが好ましく、このようにすることで毛髪を梳かすことと、押さえつけることとが効果的に行える多機能コームが完成する。
【００２２】
つぎに毛髪分け目形成コーム６は、コーム基部３におけるグリップ部２と対称位置に取り付けられているため、毛髪分け目形成コーム６を使用して毛髪分け目１２を形成する際には、グリップ部２を鉛筆を持つ感じで全体を縦方向にして持ち、コーム基部３の先端位置に取り付けた毛髪分け目形成コーム６を下に向けた状態で毛髪（又は頭皮）にあてがい、その状態で線を描くように水平方向へ移動させることで、簡単に毛髪分け目１２が形成できる。
【００２３】
ここで毛髪分け目形成コーム６の具体的形態を説明すると、複数本並べられた毛髪分け目形成コーム６は、グリップ部２方向から見て隣り合う毛髪分け目形成コーム６同士が、それぞれ１３度の拡開角を存しつつ放射状に広がるように配置されており、かつ毛髪分け目形成コーム６の根元がコーム基部３と接する位置付近を、コーム基部３より出っ張るような膨隆部に形成してあるので、その膨隆部に接する毛髪が掻き分けられて、分け目の形成が容易になるようにしている。
【００２４】
また本発明の多機能コーム１では、グリップ部２の適所、例えば中央付近に、各種のロゴ、マーク、デザインを標示するためのロゴ標示部７を形成することができ、このロゴ標示部７の存在により、使用方法がわかりやすくなったり、デザイン性が高まることで商品価値が向上する。
【産業上の利用可能性】
【００２５】
本発明によれば、多機能コームを取り扱う分野で利用可能である。
【図面の簡単な説明】
【００２６】
【図１】本発明の多機能コームの正面図である。
【図２】前図におけるＡ−Ａ線断面図である。
【図３】毛髪分け目形成コームの使用状態を示す正面図である。
【符号の説明】
【００２７】
１  多機能コーム
２  グリップ部
３  コーム基部
４  毛髪逆立てコーム
５  毛髪梳かしコーム
６  毛髪分け目形成コーム
７  ロゴ標示部
１０  ストレート歯
１１  先端折り返し歯
１２  毛髪分け目
Ｌ１  折り返し部分の長さ寸法
【図１】
2010233829.tif 000003
【図２】
2010233829.tif 000004
【図３】
2010233829.tif 000005